(57)【要約】【課題】  席者に対して十分なマッサージ効果又はリフレッシュ効果を与えることが可能なマッサージ機能付きシートを提供する。【解決手段】  各加圧器が作動可能な状態にある場合において、各加熱器を発熱させるオン状態と当該発熱を停止させるオフ状態とを１サイクルとして各加熱器を制御する「ゆらぎ制御モード」を実行する。「ゆらぎ制御モード」では、オン状態時においては、表面温度が予め設定された温度以下に維持され、かつ、予め設定された時間以上、オフ状態が維持される。これにより、本実施形態では、各加圧器による物理的なマッサージ効果に加えて、加熱温度の変化に伴う血管の拡張・収縮によるマッサージ効果も加味することができる。したがって、着席者に対して十分なマッサージ効果又はリフレッシュ効果を与えることが可能となる。【選択図】  図５
2018099432.tif 000002
【特許請求の範囲】
【請求項１】
マッサージ機能付きシートにおいて、
シートバック及びクッションシートを有するシート本体と、
前記シート本体に設けられ、着席者を局所的に押圧するための加圧器と、
前記シート本体に設けられ、着席者を局所的に加熱するための加熱器と、
前記加圧器が作動可能な状態にある場合において、前記加熱器を発熱させるオン状態と当該発熱を停止させるオフ状態とを１サイクルとして前記加熱器を制御する「ゆらぎ制御モード」が実行可能な制御部とを備え、
前記制御部は、前記オン状態時においては、前記シート本体の表面温度を予め設定された温度以下に維持し、
さらに、前記制御部は、前記オフ状態時においては、予め設定された時間以上、前記加熱器の発熱を停止させるマッサージ機能付きシート。
【請求項２】
前記制御部は、前記表面温度が予め設定された温度を越えると判断したときは、前記加熱器を前記オフ状態とする請求項１に記載のマッサージ機能付きシート。
【請求項３】
前記制御部は、初回の前記オン状態の継続時間を２回目の前記オン状態の継続時間に比べて長くした前記「ゆらぎ制御モード」が実行可能である請求項１又は２に記載のマッサージ機能付きシート。
【請求項４】
前記加熱器は、通電時に発生するジュール損を利用した電気式ヒータである請求項１ないし３のいずれか１項に記載のマッサージ機能付きシート。
【請求項５】
前記加圧器は、流体圧により伸縮する袋のブラダーにより構成されている請求項１ないし４のいずれか１項に記載のマッサージ機能付きシート。
【請求項６】
複数の前記加圧器及び複数の前記加熱器が設けられているとともに、前記加熱器の個数は、前記加圧器の個数より少なく、
さらに、前記加熱器は、前記加圧器の直上に配設されている請求項１ないし５のいずれか１項に記載のマッサージ機能付きシート。
【請求項７】
前記制御部は、前記加圧器が作動不可状態にある場合には、前記「ゆらぎ制御モード」を停止状態とする請求項１ないし６のいずれか１項に記載のマッサージ機能付きシート。
【請求項８】
前記加熱器を第１加熱器としたとき、前記シート本体には第２加熱器が設けられており、
前記第２加熱器は、前記第１加熱器より広い範囲で着席者を加熱可能である請求項１ないし７のいずれか１項に記載のマッサージ機能付きシート。
【請求項９】
着席者を局所的に押圧するための加圧器、着席者を局所的に加熱するための加熱器、及び当該加熱器の作動を制御する制御部を備えるマッサージ機能付きシートに適用され、当該制御部に組み込まれるマッサージ機能付きシート用プログラムにおいて、
前記加圧器が作動可能な状態にある場合において、前記加熱器を発熱させるオン状態と当該発熱を停止させるオフ状態とを１サイクルとして前記加熱器を制御する「ゆらぎ制御モード処理」を実行可能とし、
さらに、前記オン状態時においては、前記シート本体の表面温度を予め設定された温度以下に維持し、かつ、前記オフ状態時においては、予め設定された時間以上、前記加熱器の発熱を停止させる処理を実行可能とするためのマッサージ機能付きシート用プログラム。
【発明の詳細な説明】
【技術分野】
【０００１】
本願は、マッサージ機能付きシートに関する。
【背景技術】
【０００２】
例えば、特許文献１に記載の発明では、加圧器による押圧力上昇作動に連動してヒータへの通電を制御している。なお、当該加圧器は、空気圧を利用して着席者の背部を局所的に押圧する押圧器である。
【先行技術文献】
【特許文献】
【０００３】
【特許文献１】特開２０１５−８５１１７号公報
【発明の概要】
【発明が解決しようとする課題】
【０００４】
特許文献１に記載の発明では、押圧力上昇作動に連動してヒータへの通電を制御しているので、着席者に対して十分なマッサージ効果又はリフレッシュ効果を与えることが困難な場合がある。本願は、上記点に鑑みたマッサージ機能付きシートを提供する。
【課題を解決するための手段】
【０００５】
本願では、マッサージ機能付きシートにおいて、シートバック（３）及びクッションシート（５）を有するシート本体と、シート本体に設けられ、着席者を局所的に押圧するための加圧器（１３）と、シート本体に設けられ、着席者を局所的に加熱するための加熱器（１１）と、加圧器（１３）が作動可能な状態にある場合において、加熱器（１１）を発熱させるオン状態と当該発熱を停止させるオフ状態とを１サイクルとして加熱器（１１）を制御する「ゆらぎ制御モード」が実行可能な制御部（２０）とを備える。
【０００６】
そして、制御部（２０）は、オン状態時においては、シート本体の表面温度を予め設定された温度以下に維持し、さらに、制御部（２０）は、オフ状態時においては、予め設定された時間以上、加熱器（１１）の発熱を停止させる。
【０００７】
これにより、加圧器（１３）による物理的なマッサージ効果に加えて、加熱温度の変化に伴う血管の拡張・収縮によるマッサージ効果も加味することができる。したがって、特許文献１に記載のマッサージ機能付きシートに比べて、着席者に対して十分なマッサージ効果又はリフレッシュ効果を与えることが可能となる。
【０００８】
なお、「シート本体の表面温度」とは、対象となる部位における現実の表面温度、又は当該表面温度と関連がある温度であってもよい。「当該表面温度と関連がある温度」とは、例えば、加熱器（１１）の温度等である。
【０００９】
本願は、以下のように構成してもよい。
すなわち、制御部（２０）は、表面温度が予め設定された温度を越えると当該制御部（２０）が判断したときは、加熱器（１１）をオフ状態とすることが望ましい。この際、制御部（２０）は、初回のオン状態の継続時間を２回目のオン状態の継続時間に比べて長くした「ゆらぎ制御モード」を実行することも可能である。
【００１０】
加熱器（１１）は、通電時に発生するジュール損を利用した電気式ヒータであることが望ましい。これにより、加熱器（１１）を容易に制御することが可能となる。
そして、特に、乗物用シートに本願を適用する場合には、流体圧により伸縮する袋のブラダーにより加圧器（１３）を構成することが望ましい。
【００１１】
複数の加圧器（１３）及び加熱器（１１）が設けられているとともに、加熱器（１１）の個数は、加圧器（１３）の個数より少なく、さらに、加熱器（１１）は、加圧器（１３）の直上に配設されている。
【００１２】
これにより、オフ状態時にシート本体の表面温度を速やかに低下させることが可能となる。したがって、加熱温度の変化に伴うマッサージ効果を確実に発揮させることが可能となる。
【００１３】
制御部（２０）は、加圧器（１３）が作動不可状態にある場合には、「ゆらぎ制御モード」を停止状態とすることが望ましい。そして、第１加熱器（１１）より広い範囲で着席者を加熱可能な第２加熱器（１２）を設けることが望ましい。
【００１４】
因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【００１５】
【図１】本発明の実施形態に係るマッサージ機能付きシートの外観図である。
【図２】本発明の実施形態に係るマッサージ機能付きシートにおける第１加熱器１１、第２加熱器１２及び加圧器１３等の配置構造を示す図である。
【図３】本発明の実施形態に係るマッサージ機能付きシートにおける第１加熱器１１、第２加熱器１２及び加圧器１３等の配置構造を示す図である。
【図４】本発明の第１実施形態に係るマッサージ機能付きシートの制御系ブロック図である。
【図５】第１加熱器１１の温度、表面温度及び第１加熱器１１への通電状態を示すグラフである。
【図６】本発明の第１実施形態に係るマッサージ機能付きシートの「ゆらぎ制御モード」時の作動を示すフローチャートである。
【図７】本発明の第２実施形態に係るマッサージ機能付きシートの「ゆらぎ制御モード」時の作動を示すフローチャートである。
【図８】本発明の第３実施形態に係るマッサージ機能付きシートの制御系ブロック図である。
【発明を実施するための形態】
【００１６】
以下に説明する「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【００１７】
以下、本発明の実施形態を図面と共に説明する。なお、各図に付された方向を示す矢印等は、各図相互の関係を理解し易くするために記載したものである。本発明は、各図に付された方向に限定されるものではない。
【００１８】
少なくとも符号を付して説明した部材又は部位は、「１つの」等の断りをした場合を除き、少なくとも１つ設けられている。つまり、「１つの」等の断りがない場合には、当該部材は２以上設けられていてもよい。
【００１９】
（第１実施形態）
１．乗物用シート（マッサージ機能付きシート）の構成
本実施形態は、自動車用シート、鉄道車両、船舶及び航空機等の乗物に用いられる乗物用シートに本発明を適用したものである。図１に示すように、乗物用シート１は、シートバック３及びクッションシート５等を有して構成されている。
【００２０】
シートバック３は着席者の背部を支持するための部位である。クッションシート５は着席者の臀部を支持するための部位である。シートバック３内には、複数の第１加熱器１１Ａ〜１１Ｄ、第２加熱器１２及び複数の加圧器１３Ａ〜１３Ｊ等が埋設されている。
【００２１】
複数の第１加熱器１１Ａ〜１１Ｄは、着席者の背部を局所的に加熱するための加熱器である。複数の第１加熱器１１Ａ〜１１Ｄそれぞれは、ニクロム線等の発熱体が局所範囲に埋設されて構成されたヒータであって、通電時に発生するジュール損を利用した電気式のヒータである。
【００２２】
第２加熱器１２は、各第１加熱器１１Ａ〜１１Ｄより広い範囲で着席者の背部を加熱可能な加熱器である。当該第２加熱器１２は、各第１加熱器１１Ａ〜１１Ｄより広い範囲にニクロム線等の発熱体が埋設されたヒータであって、通電時に発生するジュール損を利用した電気式のヒータである。
【００２３】
複数の加圧器１３Ａ〜１３Ｊは、着席者の背部を局所的に押圧するための加圧器である。各加圧器１３Ａ〜１３Ｊは、空気圧等の流体圧により伸縮する袋のブラダーにより構成されたものであって、例えば特許文献１に記載された加圧器と同様なものである。
【００２４】
以下、複数の第１加熱器１１Ａ〜１１Ｄを総称する際には第１加熱器１１と記し、複数の加圧器１３Ａ〜１３Ｊを総称する際には加圧器１３と記す。
そして、第１加熱器１１の個数は加圧器１３の個数より少ない。すなわち、例えば、本実施形態では１０個の加圧器１３を有し、そのうち５個は上下方向に沿って配設され、他の５個は、当該５個の加圧器１３に対してシート幅方向にずれた位置にて上下方向に沿って配設されている。
【００２５】
複数（本実施形態では、４個）の第１加熱器１１は、複数の加圧器１３のうち着席者の肩又は肩胛骨に対応する部位、及び複数の加圧器１３のうち着席者の腰に対応する部位に配設されている。そして、各第１加熱器１１は、図２に示すように、加圧器１３の直上に配設されている。
【００２６】
なお、「第１加熱器１１が加圧器１３の直上に配設されている」とは、図３に示すように、加圧器１３、つまりブラダーが膨張して着席者の背部を局所的に押圧する際に、「当該膨張に連動して着席者の背部に第１加熱器１１を押し付けることが可能な位置に当該第１加熱器１１が配設されている」ことをいう。
【００２７】
２．第１加熱器等の制御
２．１  制御の概要
図４に示すように、各第１加熱器１１、第２加熱器１２及び各加圧器１３の作動は制御部２０により制御される。制御部２０は、ＣＰＵ、ＲＯＭ及びＲＡＭ等を有して構成されたマイクロコンピュータにて構成されている。
【００２８】
各第１加熱器１１等を制御するためのプログラムは、ＲＯＭ等の不揮発性記憶部に予め記憶されている。ＣＰＵ、つまり制御部２０は、当該不揮発性記憶部から上記プログラムを読み込んで各第１加熱器１１等の制御を実行する。
【００２９】
制御部２０には、リフレッシュスイッチＳＷ１、温熱リフレッシュスイッチＳＷ２及びシートヒータスイッチＳＷ３の状態を示す信号、並びに温度センサＳ１の検出信号が入力されている。
【００３０】
リフレッシュスイッチＳＷ１は、着席者等によって操作されたときに、マッサージ機能（リフレッシュ機能）、つまり各加圧器１３を作動させるためのスイッチである。つまり、リフレッシュスイッチＳＷ１が投入されると、各加圧器１３に空気圧を供給するエアポンプ（図示せず。）稼働するとともに、当該空気圧を制御する制御弁（図示せず。）が稼働する。
【００３１】
温熱リフレッシュスイッチＳＷ２は、着席者等によって操作されたときに、各第１加熱器１１を、後述する「ゆらぎ制御モード」にて作動させるためのスイッチである。シートヒータスイッチＳＷ３は、着席者等によって操作されたときに、第２加熱器１２への通電を開始し、当該第２加熱器１２を発熱させるためのスイッチである。
【００３２】
温度センサＳ１は、各第１加熱器１１に埋設された部位におけるシートバック３の表面温度を直接的又は間接的に検出する。本実施形態に係る温度センサＳ１は、抵抗法等により各第１加熱器１１の温度を検出することにより間接的に表面温度を検出している。
【００３３】
なお、本実施形態では、複数の第１加熱器１１毎に表面温度を検出している。このため、温度センサＳ１は第１加熱器１１と同数以下設けられている。そして、制御部２０は、複数の第１加熱器１１毎に当該第１加熱器１１の作動を制御している。なお、本実施形態では、温度センサＳ１は、第１加熱器１１と直列に設けられているので、温度センサＳ１は第１加熱器１１の１／２個である。
【００３４】
２．２  「ゆらぎ制御モード」
制御部２０は、リフレッシュスイッチＳＷ１が投入されている状態において、温熱リフレッシュスイッチＳＷ２が投入されているときには、「ゆらぎ制御モード」を実行するためのプログラムを実行する。
【００３５】
そして、制御部２０は、各加圧器１３が作動不可状態にある場合、つまりリフレッシュスイッチＳＷ１が投入されていない場合、又は温熱リフレッシュスイッチＳＷ２が投入されていない場合には、「ゆらぎ制御モード」を停止状態とする。
【００３６】
「ゆらぎ制御モード」とは、各加圧器１３が作動可能な状態にある場合、つまりリフレッシュスイッチＳＷ１が投入されている状態において、図５に示すように、各加熱器１１を発熱させるオン状態と当該発熱を停止させるオフ状態とを１サイクルとして各加熱器１１を制御する制御モードである。
【００３７】
すなわち、「ゆらぎ制御モード」が開始されると、図６に示すように、制御部２０は、各第１加熱器１１への通電を開始するとともに（Ｓ１）、各温度センサＳ１の検出温度を読み込む（Ｓ３）。
【００３８】
そして、制御部２０は、いずれかの温度センサＳ１にて検出した表面温度が予め設定された温度（以下、設定温度という。）を越えているか否かを判断する（Ｓ５）。いずれかの温度センサＳ１にて検出した表面温度が設定温度を越えていると判断した場合には（Ｓ５：ＹＥＳ）、設定温度を超えると判断された第１加熱器１１をオフ状態とする（Ｓ７）。
【００３９】
制御部２０は、設定温度を超えると判断されていない第１加熱器１１に関しては、オン状態を維持する。制御部２０は、オフ状態となった第１加熱器１１が発生すると、当該第１加熱器１１がオフ状態となった時を基準とする経過時間を計時する（Ｓ９）。
【００４０】
このとき、制御部２０は、オフ状態時となった第１加熱器１１の発熱を短くとも設定オフ時間Ｔｏｆｆ停止させる。設定オフ時間Ｔｏｆｆとは、試験等により試行錯誤的に決定された時間であって、予めＲＯＭに記憶された時間である。そして、制御部２０は、経過時間が設定オフ時間Ｔｏｆｆを越えたか否かを判定する（Ｓ１１）。
【００４１】
制御部２０は、経過時間が設定オフ時間Ｔｏｆｆを越えていないと判断した場合はＳ１１：ＮＯ）、当該オフ状態を維持する。制御部２０は、経過時間が設定オフ時間Ｔｏｆｆを越えたと判断した場合は（Ｓ１１：ＹＥＳ）、当該オフ状態が「ゆらぎ制御モード」の開始後においてｎ回目（本実施形態では、３回目）のオフ状態であるか否かを判断する（Ｓ１３）。
【００４２】
そして、制御部２０は、当該オフ状態が「ゆらぎ制御モード」の開始後においてｎ回目のオフ状態であると判断した場合には（Ｓ１３：ＹＥＳ）、「ゆらぎ制御モード」を停止させる（Ｓ１５）。
【００４３】
制御部２０は、当該オフ状態が「ゆらぎ制御モード」の開始後においてｎ回目のオフ状態でないと判断した場合には（Ｓ１３：ＮＯ）、オフ状態の第１加熱器１１をオン状態とした後（Ｓ１７）、Ｓ３を実行する。
【００４４】
なお、制御部２０は、表面温度が設定温度を越えていると判断した場合に、オン状態の第１加熱器１１をオフ状態とするので、オン状態の継続時間は一定ではない。つまり、例えば、初回のオン状態の継続時間は、通常、２回目のオン状態の継続時間に比べて長くなる。
【００４５】
これは、初回のオン状態によって表面温度が既に上昇しているため、２回目のオン状態時においては、初回のオン状態の継続時間より短い時間で表面温度が設定温度に到達してしまうからである。
【００４６】
３．本実施形態に係る乗物用シートの特徴
「ゆらぎ制御モード」では、オン状態時においては、表面温度が予め設定された温度以下に維持され、かつ、予め設定された時間以上、オフ状態が維持される。
【００４７】
これにより、本実施形態では、各加圧器１３による物理的なマッサージ効果に加えて、加熱温度の変化に伴う血管の拡張・収縮によるマッサージ効果も加味することができる。したがって、着席者に対して十分なマッサージ効果又はリフレッシュ効果を与えることが可能となる。
【００４８】
各第１加熱器１１は、通電時に発生するジュール損を利用した電気式ヒータである。これにより、制御部２０は、各第１加熱器１１を容易に制御することが可能となる。
第１加熱器１１の個数は加圧器１３の個数より少なく、さらに、各第１加熱器１１は、加圧器１３の直上に配設されている。これにより、オフ状態時にシートバック３の表面温度を速やかに低下させることが可能となる。したがって、加熱温度の変化に伴うマッサージ効果を確実に発揮させることが可能となる。
【００４９】
（第２実施形態）
第１実施形態では、オン状態はシートバック３の表面温度を利用して制御されていた。しかし、本実施形態は、図７に示すように、オン状態となった時から予め決められた時間が経過したときに（Ｓ４：ＹＥＳ）、第１加熱器１１をオフ状態とする機能を追加したものである。
【００５０】
つまり、本実施形態では、オフ状態と同様にオン状態となった時からの経過時間を利用してオン状態が制御され得る。このため、例えば、第１加熱器１１による表面温度の上昇率が小さい場合には、表面温度が上記した設定温度未満であっても、第１加熱器１１がオフ状態となる。
【００５１】
なお、上述の実施形態と同一の構成要件等は、上述の実施形態と同一の符号を付したので、重複する説明は省略する。
（第３実施形態）
上述の実施形態では、１つの制御部２０により、第１加熱器１１、第２加熱器１２及び加圧器１３を制御する構成であった。しかし、本実施形態では、図８に示すように、第１加熱器１１及び加圧器１３を制御する制御部２０と、第２加熱器１２を制御する制御部２１とが独立した異なる制御部にて構成されている。
【００５２】
このため、制御部２１には、表面温度を検出する第２の温度センサＳ２の出力信号が入力されている。第２の温度センサＳ２は、温度センサＳ１と同様な温度センサである。なお、上述の実施形態と同一の構成要件等は、上述の実施形態と同一の符号を付したので、重複する説明は省略する。
【００５３】
（その他の実施形態）
上述の実施形態に係る制御部２０は、複数の第１加熱器１１毎に当該第１加熱器１１の作動を制御していた。しかし、本願明細書に開示された発明はこれに限定されるものではない。
【００５４】
すなわち、例えば、（１）いずれかの部位において設定温度を超えた場合には、全ての第１加熱器１１をオフ状態とする制御、又は（２）表面温度の平均値が設定温度を超えた場合には、全ての第１加熱器１１をオフ状態とする制御等であってもよい。
【００５５】
上述の実施形態に係る制御部２０は、オフ状態が「ゆらぎ制御モード」の開始後においてｎ回目のオフ状態であると判断した場合には、「ゆらぎ制御モード」を停止させた。しかし、本願明細書に開示された発明はこれに限定されるものではない。
【００５６】
すなわち、例えば、温熱リフレッシュスイッチＳＷ２が投入されている間は、連続的に「ゆらぎ制御モード」を実行する制御としてもよい。さらに、「ゆらぎ制御モード」を停止させるオフ状態の回数は３回に限定されるものではない。
【００５７】
上述の実施形態では、設定オフ時間Ｔｏｆｆは、初回、２回目及び３回目において略同一であった。しかし、本願明細書に開示された発明はこれに限定されるものではない。すなわち、例えば、初回、２回目及び３回目毎に設定オフ時間Ｔｏｆｆを変更する制御であってもよい。
【００５８】
上述の実施形態に係る設定オフ時間Ｔｏｆｆとは、試験等により試行錯誤的に決定された時間であって、予めＲＯＭに記憶された時間であった。しかし、本願明細書に開示された発明はこれに限定されるものではない。
【００５９】
すなわち、例えば、着席者等が自ら設定オフ時間Ｔｏｆｆを設定又は変更可能な構成としてもよい。これにより、着席者等が自ら快適と感じる設定オフ時間Ｔｏｆｆを設定できるので、多種・多様な着席者に対しても十分なマッサージ効果又はリフレッシュ効果を与えることが可能となる。
【００６０】
上述の実施形態では、制御部２０に内蔵された不揮発性記憶部に「マッサージ機能付きシート用プログラム」が記憶されていた。しかし、本願明細書に開示された発明はこれに限定されるものではない。
【００６１】
すなわち、例えば、可搬性を備えた記録媒体（例えば、ＵＳＢメモリや記憶ディスク等）に「マッサージ機能付きシート用プログラム」が記憶されていてもよい。なお、制御部２０は、乗物用シート１に一体化された構成、又は乗物用シート１以外に配置された構成のいずれでもよい。
【００６２】
上述の実施形態に係る第１加熱器１１及び第２加熱器１２は電気ヒータであった。しかし、本願明細書に開示された発明はこれに限定されるものではない。なお、第２加熱器１２が廃止された構成であってもよい。
【００６３】
上述の実施形態に係る加圧器１３は、空気圧により伸縮する空気袋（ブラダー）により構成されていた。しかし、本願明細書に開示された発明はこれに限定されるものではない。すなわち、例えば、カム等の機械的な押圧器、又は温水等の液体の流体圧により伸縮する押圧器等であってもよい。
【００６４】
上述の実施形態では、加圧器１３の膨張・収縮タイミングと第１加熱器１１のオン状態・オフ状態の開始タイミングとは連動しておらず、互いの制御は独立制御されていた。しかし、本願明細書に開示された発明はこれに限定されるものではない。すなわち、例えば、第１加熱器１１と加圧器１３とを連動させて作動させてもよい。
【００６５】
上述の実施形態では、第１加熱器１１と第２加熱器１２とは連動しておらず、互いの制御は独立制御されていた。しかし、本願明細書に開示された発明はこれに限定されるものではない。すなわち、例えば、第１加熱器１１と第２加熱器１２とが連動して制御される構成であってもよい。
【００６６】
上述の実施形態では、温度センサＳ１の検出温度を「シートバック３の表面温度」と関連がある温度として利用した。しかし、本願明細書に開示された発明はこれに限定されるものではない。
【００６７】
上述の実施形態に係る制御部２０は、加圧器１３が作動可能な状態にあるか否かをリフレッシュスイッチＳＷ１が投入されているかに基づいて判断した。しかし、本願明細書に開示された発明はこれに限定されるものではない。
【００６８】
また、加圧器１３が作動不可状態において「ゆらぎ制御モード」を実行可能としてもよい。なお、加圧器１３が作動可能な状態にある状態とは、加圧器１３が現実に膨張・収縮作動をしているか否かは不問である。
【００６９】
上述の実施形態では、シートバック３に第１加熱器１１及び加圧器１３等が設けられていた。しかし、本願明細書に開示された発明はこれに限定されるものではない。すなわち、クッションシート５及びシートバック３のうち少なくとも一方に第１加熱器１１及び加圧器１３等が設けられている構成であってもよい。
【００７０】
上述の実施形態では、乗物用シートに本願に係るマッサージ機能付きシートを適用した。しかし、本発明の適用はこれに限定されるものではなく、据え置き型のシートにも本願に係るマッサージ機能付きシートを適用できる。
【００７１】
さらに、本発明は、特許請求の範囲に記載された発明の趣旨に合致するものであればよく、上述の実施形態に限定されるものではない。したがって、上述した複数の実施形態のうち少なくとも２つの実施形態を組み合わせてもよい。
【符号の説明】
【００７２】
１… 乗物用シート  ３… シートバック  ５… クッションシート
１１… 第１加熱器  １２… 第２加熱器  １３… 加圧器
２０… 制御部  ＳＷ１… リフレッシュスイッチ
ＳＷ２… 温熱リフレッシュスイッチ  ＳＷ３… シートヒータスイッチ
Ｓ１… 温度センサ
【図１】
2018099432.tif 000003
【図２】
2018099432.tif 000004
【図３】
2018099432.tif 000005
【図４】
2018099432.tif 000006
【図５】
2018099432.tif 000007
【図６】
2018099432.tif 000008
【図７】
2018099432.tif 000009
【図８】
2018099432.tif 000010